(57)【特許請求の範囲】
【請求項１】
ケース本体に上蓋を結合することに形成される器体内に、蓋体に揺動可能に軸支された操作子の操作により固定接点と可動接点を開閉させるスイッチ機構と、電線を接続する接続端子部とを収納配置し、上記操作子の中央に設けられた透光部より外部に発光表示させる表示灯付スイッチにおいて、
上記操作子は長手方向両側部の中央下面から下方に突出して上記可動接点を設けた可動接触子を反転させる反転駆動部を備え、
該反転駆動部がそれぞれ挿通される孔とを有するとともに、該挿通孔間に発光表示体を搭載し絶縁材料により板状に成形された保持体には、内部に埋め込まれ上記発光表示体の発光表示回路を構成する複数の導電体の一部を上記保持体から露出させて接触部を形成し、
上記接続端子部には上記保持体の接触部に接触させる接触突部を上方に突出して形成し、
上記ケース本体に、上記接続端子部、可動接触子を収容するとともに、上記蓋体に上記保持体を収容し、該保持体を収容した蓋体を上記ケース本体に結合して器体を組み立てることにより、上記接続端子部の接触突部に上記保持体の接触部が接触して上記発光表示回路が上記接続端子部に電気的に接続することを特徴とする発光表示付スイッチ。
【請求項２】
前記保持体に設けられた発光表示体を搭載する搭載部を保持体上面より上方に膨出させた、請求項１記載の発光表示付スイッチ。
【請求項３】
前記搭載部内には前記導電体の一部が埋め込まれ、該導電体の両端部は前記保持体から露出して前記接続部を形成している、請求項１又は２記載の発光表示付スイッチ。
【請求項４】
前記発光表示体に直列接続される第１の固定抵抗の回路に並列接続される第２の固有抵抗の接続回路を前記保持体から切断可能に露出させた、請求項１乃至３記載の発光表示付スイッチ。
【請求項５】
前記可動接点を設けた可動接触子を反転動作させる前記操作子の反転駆動部が係合する被反転駆動部を上記可動接触子の両側に溝を介して形成するとともに、該被反転駆動部を上記反転駆動部が係合する被反転駆動部の上端が上記可動接点の下方に位置するように形成した、請求項１乃至４記載の発光表示付スイッチ。
【請求項６】
前記操作子には、該操作子の上面を覆うとともに、操作子を回動動作させる化粧操作板を着脱可能に装着する装着手段が設けられている、請求項１乃至５記載の発光表示付スイッチ。
【請求項７】
前記保持体を前記上蓋に圧入保持させた後に上蓋とケース本体とを結合した、請求項1乃至６記載の発光表示付スイッチ。
【発明の詳細な説明】
【０００１】
【発明の属する技術分野】
本発明は、発光表示付スイッチに関する。
【０００２】
【従来の技術】
従来、発光表示付スイッチは、内蔵した発光体を発光させることによって照明の消し忘れ防止や、暗闇の中でもスイッチの場所が判るようにするためのもので、様々なスイッチが提案され実用に供されている。このスイッチは操作子の回動操作により点灯したり、消灯したりするものであって、スイッチの内部に配置された発光体に電力を供給する必要がある。従来のスイッチでは操作子の上面に透光部を形成し、操作子から発光体の光が透光部以外のところから漏れないようにするために操作子自体に発光体を配置し、発光体を操作子で覆い操作子の内部に密閉するような形状になっている。
【０００３】
【発明が解決しようとする課題】
しかしながら、上述のスイッチにおいては、操作子が回動するため、発光素子に電力を供給するためには操作子に受電用の接触部を設け、器体内に設けた電力供給端子に常時接触させておく必要があったが、近年、操作子に大型の化粧操作板（ワイドハンドル化粧操作板）を取り付けてスイッチのグレードアップを図るとともに、スイッチ操作を快適にするスイッチが提案されてきたため、発光体は大きなワイドハンドル化粧操作板で覆われ、発光体の光はワイドハンドル化粧操作板に形成された透光部以外からは漏れることがなくなったので、発光体へ電力の供給をするために操作子に設けた受電用の接触部や、電力供給端子に常時接触させておく必要がなく接触部と電力供給端子の摺動状態による接触負荷や接触不良による通電不良の改善が望まれるとともにスイッチの組立て作業の省力化が望まれている。
【０００４】
本発明は上記問題点を解消し、特に大型の化粧操作板を使用する発光表示付スイッチに最適で、製造過程の自動化の導入を可能にし、省力化及び製造コストの低減を図ることができる発光表示付スイッチを提供することをその課題とする。
【０００５】
【課題を解決するための手段】
前記課題を解決するため、本発明に係る発光表示付スイッチは、ケース本体に上蓋を結合することに形成される器体内に、蓋体に揺動可能に軸支された操作子の操作により固定接点と可動接点を開閉させるスイッチ機構と、電線を接続する接続端子部とを収納配置し、上記操作子の中央に設けられた透光部より外部に発光表示させる表示灯付スイッチにおいて、上記操作子は長手方向両側部の中央下面から下方に突出して上記可動接点を設けた可動接触子を反転させる反転駆動部を備え、該反転駆動部がそれぞれ挿通される孔とを有するとともに、該挿通孔間に発光表示体を搭載し絶縁材料により板状に成形された保持体には、内部に埋め込まれ上記発光表示体の発光表示回路を構成する複数の導電体の一部を上記保持体から露出させて接触部を形成し、上記接続端子部には上記保持体の接触部に接触させる接触突部を上方に突出して形成し、上記ケース本体に、上記接続端子部、可動接触子を収容するとともに、上記蓋体に上記保持体を収容し、該保持体を収容した蓋体を上記ケース本体に結合して器体を組み立てることにより、上記接続端子部の接触突部に上記保持体の接触部が接触して上記発光表示回路が上記接続端子部に電気的に接続することを特徴とする。
【０００６】
なお、前記保持体に設けられた発光表示体を搭載する搭載部を保持体上面より上方に膨出させ、保持体の下方に配置された可動接触子の回動時に、該可動接触子の上端が保持体に当たらないようにすることが好ましい。
【０００７】
また、前記搭載部内には前記導電体の一部が埋め込まれ、該導電体の両端部は前記保持体から露出し前記接続部を形成し、挿通孔を除いた部分の保持体を有効に使用できるようにしてもよい。
【０００８】
そして、前記発光表示体に直列接続される第１の固定抵抗の回路に並列接続される第２の固有抵抗の接続回路を前記保持体から切断可能に露出させ、第２の固有抵抗の使用又は不使用を回路の切断か否かで設定できるようにすればよい。
【０００９】
さらに、前記可動接点を設けた可動接触子を反転動作させる前記操作子の反転駆動部が係合する被反転駆動部を上記可動接触子の両側に溝を介して形成するとともに、該被反転駆動部を上記反転駆動部が係合する被反転駆動部の上端が上記可動接点の下方に位置するように形成し、化粧操作板の操作ストロークが小さくても可動接触子が確実に反転動作できるようにすることが好ましい。
【００１０】
さらにまた、前記操作子には、該操作子の上面を覆うとともに、操作子を回動動作させる化粧操作板を着脱可能に装着する装着手段が設けられ、スイッチの設置作業が容易になるようにすればよい。
【００１１】
そして、前記保持体を前記上蓋に圧入保持させた後に上蓋とケース本体とを結合し、組み付けるだけでハンダ付けなどの作業を要することなく発光表示回路を接続端子部に電気的に接続できるようにしても構わない。
【００１２】
【発明の実施の形態】
図１は、本発明に係る発光表示付スイッチ（以下、スイッチという）を示し、このスイッチは、スイッチ本体１に着脱可能、且つ、揺動可能に装着される化粧操作板２を押圧操作することにより内部に設けられた操作子３を駆動し、電気回路の開閉を行なうものであり、この化粧操作板２の中央に形成された開口部４に配置された透光材５を通して内部に配置された発光表示体の点灯状態を視認でき、スイッチの設置場所や作動状態を目で確認できるようにしたものである。
【００１３】
図1において、符号１０はスイッチ本体１を構成する器体を示し、この器体１０は、図２に示すように、スイッチ機構及びその他の部品を収納する為の上面が開口した箱状のケース本体１１と、このケース本体１１の上面に被せられる蓋体１２とからなり、ケース本体１１の両側面に形成された係止突部１１ａに蓋体１２の両側部下端に突出形成されたフック１２ａを係止させることによりケース本体１１と蓋体１２とが一体になり、全体として箱状の器体１０を構成することができる。そして、蓋体１２には操作子３の上面を露出させる開口部１３が形成されている。
【００１４】
ケース本体１１には、図３（ｃ）の底面図に示すように、電線を個別に挿入する電線挿入孔１７と、挿入された電線の係止を解除する解除部材１８を操作する為の工具を挿入する工具挿入口１９が下方に開口して形成され、ケース本体１１の内部には上記電線が接続される接続端子部である共通端子２０、固定端子２１及び切換端子２２が配置され、これらの端子に対応すると共に、上記電線挿入孔１７の上部に配置され、挿入された電線を係止すると共に電線と各端子とを導通させる押えバネ２３が配置され、いわゆるネジなし端子を構成している。
【００１５】
そして、共通端子２０には、スプリング２４で上方に付勢されると共に、可動接触子２５を支持する側面視略Ｖ字状の導電性及び弾性を有する支持板２６が前方に突出して連結されている。可動接触子２５は、図４上で、左右に反転すると可動接点２５ａが固定端子２１の固定接点２１ａと切換端子２２の切換接点２２ａとに選択的に接触し、電気回路の接続・遮断ができるようにスイッチ機構を構成している。
【００１６】
なお、符号２７、２８、２９は、共通端子２０、固定端子２１、切換端子２２の上面にそれぞれ突出形成された接触突部を示し、後述する発光表示体６０を保持する保持体６１を上から重ねることにより、保持体６１から突出した接触部７０ａ、７０ｂ、７２ａにそれぞれ接触し、各端子２０、２１、２２と接触部７０ａ、７０ｂ、７２ａとがそれぞれ電気的に接続されるようになっている。
【００１７】
可動接触子２５は、操作子３によって駆動され、可動接点２５ａが選択的に固定接点２１ａと切換接点２２ａとに接触させられるが、この操作子３は中央に発光表示体６０の光を通過させる開口部５０にアクリル樹脂などからなる透光板（透光部）５３が取り付けられた枠体で、長手方向両側部の中央下面には上述の可動接触子２５の駆動片（被反転駆動部）２５ｂの上端に係合溝５１ａが係合する作動アーム（反転駆動部）５１が下方に突出して形成され、化粧操作板２の下面から下方に突出形成された係合片２ａ（図４参照）の先端が当接する当接部５２が上面四隅に形成されるとともに、化粧操作板２を操作子３に装着する装着手段である装着爪５７が取り付けられ、両側部中央には蓋体１２に形成された操作子軸受５５に揺動可能に支持される支軸５６が側方に突出して形成されている。
【００１８】
ところで、上記可動接触子２５は、図５に示すように、両側部に形成された駆動片２５ｂと可動接触子２５との間には切り欠き２５ｃがそれぞれ形成され、駆動片２５ｂとの接合部分を少なくすることにより可動接触子２５の撓みが大きくなるように形成されている。そして、支持板２６に係合する係合端部から駆動片２５ｂの先端までの高さＨ１を、係合端部から可動接点２５ａまでの高さＨ２に対し低くなるように形成し、操作子３の作動アーム５１を長くすることにより、操作子３の揺動角度が小さくても作動アーム５１の先端の移動距離が長くなり、可動接触子２５を確実に反転させることができるので、化粧操作板２の操作ストロークを小さくすることができる。
【００１９】
そして、操作子３の下方には、ネオン管からなる発光表示体６０を搭載した保持体６１が配置されている。この保持体６１は、図６に示すように、絶縁材料で中央部が台形状に膨出するとともに、発光表示体６０を搭載する搭載部６２の両側には上記操作子３の作動アーム５１を挿通させる開口部６３が形成された板部材で、保持体６１の成形時に内部に複数の導電体ａが埋設されている。この導電体ａは銅板等をプレス加工で打ち抜いて形成されたリードフレームで構成され、インサート成形後に切り離せばよい。上記導電体ａは３つの導電体７０、７１、７２で構成され、発光表示体６０、第１の固定抵抗６５及び第２の固定抵抗６７で発光表示体６０の発光表示回路を形成するようになっている。
【００２０】
そして、保持体６１に台形状に膨出して形成された搭載部６２の両側部には発光表示体６０を挟持する挟持片６２ａ、６２ａが立設して形成されている。なお、搭載部６２が略台形状の橋のように形成されているのは、可動接触子２５の上端が保持体６１に当たることなく作動アーム５１によって回動できるようにするためのものである（図４参照）。
【００２１】
導電体７０は、接触突部２７に接触する接触部７０ａ、接触突部２９に接触する接触部７０ｂ、第１の固定抵抗６５の一端が接続される第１の接続部７４の一方の接続部７４ａ、第２の固定抵抗６７の一端が接続される第２の接続部７５の一方の接続部７５ａがそれぞれ保持体６１から突出するように形成されている。
さらに、導電体７０は一部７６、７７が保持体６１の上面から下面に貫通する作業孔７８、７９からそれぞれ露出するように形成され、作業孔７８、７９の何れか一方に切断用工具を挿通して導電体７０の一部７６、７７の何れか一方を切断することにより接触部７０ａ、７０ｂの何れか一方を選択的に第１の接続部７４の一方の接続部７４ａに接続できるようになっている。
【００２２】
作業孔７８から露出する導電体７０の一部７６を切断した場合は、接触部７０ｂと第１の接続部７４の一方の接続部７４ａと、第２の接続部７５の一方の接続部７５ａとが接続された状態になり、図８（ａ）に示すように、発光表示回路を３路用スイッチに対応させることができ、作業孔７９から露出する導電体７０の一部７７を切断した場合は、接触部７０ａと第１の接続部７４の一方の接続部７４ａとが接続された状態になり、図８（ｂ）に示すように、発光表示回路を単極用スイッチに対応させることができる。なお、発光表示回路を単極用スイッチに対応させる場合は、導電体７０の一部７７を切断するとともに、第１の接続部７４の一方の接続部７４ａと第２の接続部７５の一方の接続部７５ａとの連結部８０及び、後述する第１の接続部７４の他方の接続部７４ｂと第２の接続部７５の他方の接続部７５ｂとの連結部８１を切断して第２の固定抵抗６７を発光表示回路から除去すればよい。
【００２３】
上述のように、導電体ａの所定部位を切断するだけで、配線を引き直したりハンダ付けをするなどの個別の作業をすることなく発光表示体６０の発光表示回路を３路用スイッチ又は単極用スイッチに簡単に対応させることができる。
【００２４】
導電体７１は、搭載部６２にインサート成形され（図４の断面図参照）、発光表示体６０の一方のリード線８２ａが圧着される圧着端子（接続部）７３ａと、第１の固定抵抗６５の他端が接続される第１の接続部７４の他方の接続部７４ｂとがそれぞれ保持体６１から露出するように形成されている。
【００２５】
導電体７２は、接触突部２８に接触する接触部７２ａと、発光表示体６０の他方のリード線８２ｂが圧着される圧着端子（接続部）７３ｂとがそれぞれ保持体６１から露出するように形成されるとともに、第２の固定抵抗６７の他端が接続される第２の接続部７５の他方の接続部７５ｂが連結部８１を介して保持体６１から突出するように形成されている。なお、上述したように、発光表示回路を単極用スイッチに対応させるためには連結部８１を切断して、第２の固定抵抗６７を発光表示回路から除去すればよい。
【００２６】
上述のように構成されたスイッチは、ケース本体１１に解除部材１８、押えバネ２３、各端子２０、２１、２２及び可動接触子２５を収容した後、操作子３の作動アーム５１を保持体６１の開口部６３に挿通させた状態で保持体６１を蓋体１２に圧入し、蓋体１２のフック１２ａをケース本体１１の係止突部１１ａに係止させて、器体１０を組み立てることにより、接触突部２７に接触部７０ａが、接触突部２９に接触部７０ｂが、接触突部２８に接触部７２ａがそれぞれ接触し、電気的に接続されて発光表示回路を形成することができるので、接続用の配線やハンダ付けを必要とすることなく、発光表示回路に電力を供給することができ、作業工程における省力化を図ることができる。
【００２７】
しかも、保持体６１に導電体ａをインサート成形することにより自動機による自動化が可能になり、従来のようなハンダ付けなどの手作業を省くことができ、生産効率を高めることができるとともに、生産コストの低減化を図ることができる。
【００２８】
なお、図９、図１０は単極用スイッチの分解斜視図及び、保持体６１´の斜視図を示し、本体ケース１１の内部には固定端子２１、切換端子２２に代えて固定端子１００が配置され、保持体６１´は連結部８０、８１が切断されて第２の固定抵抗６７が除去されて第１の接続部７４（７４ａ、７４ｂ）に第１の固定抵抗６５が接続されるとともに、作業孔７９に露出する導電体７０の一部７７が切断され、接触突部２７に接触部７０ａ、接触突部１０１に接触部７２ａが接触し、図８（ｂ）の回路図に示すように、単極用スイッチに対応した発光表示回路が形成できる状態を示している。
【００２９】
【発明の効果】
請求項１の発明によれば、発光表示体を搭載した保持体を器体内に組み込むことにより発光表示体を発光させる発光表示回路がハンダ付けなどの作業を必要とせず自動的に端子に接続されるので、生産効率の向上を図ることができるとともに、製品のコストダウンを大幅に図ることができる。
【００３０】
請求項２の発明によれば、発光表示体を搭載する搭載部を、接続端子部に接触する接触部の位置より高くすることにより、接触部を各端子に接触させた状態で可動接触子の上端が保持体に当たることなく回動させることができる。
【００３１】
請求項３の発明によれば、搭載部内に導電体をインサート成形することにより、保持体に操作子の作動アームを挿通させる開口部を形成しても、保持体の開口部以外を有効に利用することができる。しかも、別途配線用線材を必要としないので自動化を図ることが可能になり、外観上も作業工程上においても有効なスイッチを提供することができる。
【００３２】
請求項４の発明によれば、発光表示回路を単極用スイッチ、３路用スイッチの何れにも簡単に対応させることができ、しかもハンダ付けなどの作業をすることなく所定の部位の導電体をカットするだけで対応することができ、生産効率の向上を図ることができる。
【００３３】
請求項５の発明によれば、操作子の揺動角度が小さくても可動接触子を反転させることができるので、化粧操作板の操作ストロークを小さくすることができ、操作性に優れたスイッチを提供することができる。
【００３４】
請求項６の発明によれば、化粧操作板を操作子に容易に着脱することができ、スイッチの設置作業を楽にすることができる。
【００３５】
請求項7の発明によれば、保持体を上蓋に圧入保持させた後に上蓋とケース本体とを結合し、組み付けるだけで発光表示回路を接続端子部に電気的に接続できるので、ハンダ付けなどの作業工程を省くことができ生産効率の向上を図ることができる。
【図面の簡単な説明】
【図１】  本発明に係る発光表示付スイッチの構成を示す斜視図
【図２】  上記発光表示付スイッチの分解斜視図
【図３】  （ａ）（ｂ）（ｃ）は上記発光表示付スイッチの平面図、正面図、底面図
【図４】  上記発光表示付スイッチの要部縦断面図
【図５】  可動接触子の形状を説明する斜視図
【図６】  保持体の構成を説明する斜視図
【図７】  上記保持体と導電体との関係を説明する平面図
【図８】  （ａ）（ｂ）は３路用スイッチの発光表示回路と単極用スイッチの発光表示回路の説明図
【図９】  単極用スイッチの分解斜視図
【図１０】  単極用スイッチの保持体の構成を説明する斜視図
【符号の説明】
２  化粧操作板
３  操作子
１０  器体
１１  ケース本体
１２  上蓋
２１ａ  固定接点
２０  共通端子（接続端子部）
２１  固定端子（接続端子部）
２２  切換端子（接続端子部）
２５ａ  可動接点
２５ｂ  駆動片（被反転駆動部）
５１  作動アーム（反転駆動部）
５７  装着爪（装着手段）
６０  発光表示体
６１  保持体
６２  搭載部
６５  第１の固定抵抗
６７  第２の固定抵抗
７０、７１、７２  導電体
７０ａ、７０ｂ、７２ａ  接触部
７３、７４、７５  接続部
【図１】
0004530510.tif 000002
【図２】
0004530510.tif 000003
【図３】
0004530510.tif 000004
【図４】
0004530510.tif 000005
【図５】
0004530510.tif 000006
【図６】
0004530510.tif 000007
【図７】
0004530510.tif 000008
【図８】
0004530510.tif 000009
【図９】
0004530510.tif 000010
【図１０】
0004530510.tif 000011